【手続補正書】
【提出日】平成18年12月1日(2006.12.1)
【手続補正１】
【補正対象書類名】明細書
【補正対象項目名】特許請求の範囲
【補正方法】変更
【補正の内容】
【特許請求の範囲】
【請求項１】
（ａ）５０容量％より多い、高度に分枝したジアルキルアミンの異性体の混合物、および約１容量％未満のモノアルキルアミンを含んで成る水不混和性溶媒であって、１０より大きい分配係数を有する溶媒；ならびに
（ｂ）最低１０容量％の、前記溶媒（ａ）の沸点より低い沸点を有する非アルコール補助溶媒
を含んで成る水不混和性溶媒と補助溶媒の混合物であって、水性流から酢酸を抽出する上記の混合物。
【請求項２】  請求項１に記載の混合物であって、前記補助溶媒が水と不混和性でありかつ水から容易に分離し、そして嫌気性の酢酸発生細菌に対して低毒性を示す、上記の混合物。
【請求項３】  請求項１に記載の混合物であって、前記補助溶媒が水および酢酸と共沸混合物を形成する、上記の混合物。
【請求項４】  請求項１に記載の混合物であって、前記補助溶媒が線状炭化水素である、上記の混合物。
【請求項５】  請求項４に記載の混合物であって、前記線状炭化水素がアルカンである、上記の混合物。
【請求項６】  請求項５に記載の混合物であって、前記アルカンガが９から１１個までの炭素原子を含む、上記の混合物。
【請求項７】  請求項６に記載の混合物であって、前記アルカンがｎ−ノナン、ｎ−デカンおよびｎ−ウンデカンから成る群より選択される、上記の混合物。
【請求項８】  請求項１に記載の混合物であって、前記溶媒（ａ）が８０容量％より多い前記ジアルキルアミンを含有し、そして低沸点化合物が約１容量％未満に低減されており、かつ、前記低沸点化合物が６９．９トル（Ｔｏｒｒ）において１１５℃以下で沸騰する、上記の混合物。
【請求項９】  請求項１に記載の混合物であって、前記溶媒（ａ）が約１容量％から１０容量％までのトリアルキルをさらに含有する、上記の混合物。
【請求項１０】  請求項１に記載の混合物であって、前記溶媒（ａ）が、酢酸抽出能力を向上させるために、低沸点化合物、モノアルキルアミン、ジアルキルアミンおよびトリアルキルアミンを含有する溶媒から、実質的に全部の低沸点化合物およびモノアルキルアミンを蒸留することにより調製され、かつ、前記低沸点化合物が６９．９トル（Ｔｏｒｒ）において１１５℃以下で沸騰する、上記の混合物。
【請求項１１】  前記溶媒（ａ）が、前記蒸留された溶媒を第二の蒸留にかけて実質的に全部のトリアルキルアミンを低減させることにより調製される、請求項７に記載の混合物。
【請求項１２】  酢酸を含有する水相から酢酸を得る方法であって、
（ａ）（ｉ）５０容量％より多い、高度に分枝したジアルキルアミンの異性体の混合物、および約０．０１容量％から２０容量％のモノアルキルアミンを含んで成る水不混和性溶媒であって、１０より大きい分配係数を有する溶媒；ならびに
（ｉｉ）少なくとも１０容量％の、前記溶媒（ｉ）の沸点より低い沸点を有する非アルコール補助溶媒を含んで成る、水不混和性溶媒と補助溶媒の混合物を、水相と接触させる工程；
（ｂ）結果として生じる溶媒相中へ前記水相から酢酸を抽出する工程；および
（ｃ）１６０℃を越えない温度下で前記溶媒相から酢酸を蒸留する工程
を含んで成る、上記の方法。
【請求項１３】  請求項１２に記載の方法であって、前記補助溶媒が水と不混和性でありかつ水から容易に分離し、そして嫌気性の酢酸発生細菌に対して低毒性を示す、上記の方法。
【請求項１４】  請求項１２に記載の方法であって、前記補助溶媒が水および酢酸と共沸混合物を形成する、上記の方法。
【請求項１５】  請求項１２に記載の方法であって、前記補助溶媒が線状炭化水素である、上記の方法。
【請求項１６】  請求項１５に記載の方法であって、前記線状炭化水素がアルカンである、上記の方法。
【請求項１７】  請求項１６に記載の方法であって、前記アルカンガが９から１１個までの炭素原子を含む、上記の方法。
【請求項１８】  請求項１７に記載の方法であって、前記アルカンがｎ−ノナン、ｎ−デカンおよびｎ−ウンデカンから成る群より選択される、上記の方法。
【請求項１９】  請求項１２に記載の方法であって、前記溶媒（ｉ）が約１容量％未満ノモノアルキルアミンを含有する、上記の方法。
【請求項２０】  請求項１２に記載の方法であって、前記溶媒（ｉ）が８０容量％より多い前記ジアルキルアミンを含有し、そして低沸点化合物およびものアルキルアミンが約１容量％未満に低減されており、かつ、前記低沸点化合物が６９．９トル（Ｔｏｒｒ）において１１５℃以下で沸騰する、上記の方法。
【請求項２１】  請求項１２に記載の方法であって、前記溶媒（ｉ）が約１容量％から１０容量％までのトリアルキルをさらに含有する、上記の方法。
【請求項２２】  請求項１２に記載の方法であって、前記溶媒（ｉ）が、酢酸抽出能力を向上させるために、低沸点化合物、モノアルキルアミン、ジアルキルアミンおよびトリアルキルアミンを含有する溶媒から、実質的に全部の低沸点化合物およびモノアルキルアミンを蒸留することにより調製され、かつ、前記低沸点化合物が６９．９トル（Ｔｏｒｒ）において１１５℃以下で沸騰する、上記の方法。
【請求項２３】  酢酸の製造のための嫌気性微生物の醗酵方法であって、
（ａ）栄養培地中に嫌気性の酢酸発生細菌を含んで成る水性流の存在下で、（１）一酸化炭素、（２）二酸化炭素および水素、（３）一酸化炭素、二酸化炭素および水素、ならびに（４）一酸化炭素および水素から成る群より選択される少なくとも１種の気体を含有する気体流をバイオリアクター中で醗酵させて、それにより酢酸を含んで成る醗酵ブロスを生産する工程；
（ｂ）前記細菌を前記ブロス中の他の成分から分離して、実質的に細胞を含まない流れを提供する工程；
（ｃ）前記細胞を含まないブロスを、
（ｉ）５０容量％より多い、高度に分枝したジアルキルアミンの異性体の混合物、および約０．０１容量％から２０容量％のモノアルキルアミンを含んで成る水不混和性溶媒であって、１０より大きい分配係数を有する溶媒；および
（ｉｉ）最低１０容量％の、前記溶媒（ｉ）の沸点より低い沸点を有する非アルコール補助溶媒を含んで成る、水不混和性溶媒と補助溶媒の混合物と接触させることにより、前記細胞を含まない流れから溶媒相に酢酸を連続的に抽出する工程；
（ｄ）前記水相を前記バイオリアクターに再循環し、そして前記溶媒相を蒸留塔に通過させる工程、ならびに
（ｅ）１６０℃を越えない温度下で（ｄ）の生成物から酢酸を溶媒相と別個に連続的に蒸留する工程
を含んで成り、かつ、前記抽出および蒸留工程が前記アミンをアミドに実質的に品位を低下することなく起こり、こうして酢酸の製造の効率を高める、上記の方法。
【請求項２４】  請求項２３に記載の方法であって、前記分離工程が、遠心分離器、中空繊維膜もしくは固−液分離装置を使用する、上記の方法。
【請求項２５】  請求項２３に記載の方法であって、前記蒸留工程が実質的に酸素を含まない真空中で起こる、上記の方法。
【請求項２６】  請求項２５に記載の方法であって、工程（ｅ）が約０．５ないし約１０ｐｓｉａの間の圧力の真空をさらに用いる、上記の方法。
【請求項２７】  請求項２３に記載の方法であって、前記嫌気性細菌が、アセトバクテリウム  キブイ（Ａｃｅｔｏｂａｃｔｅｒｉｕｍ  ｋｉｖｕｉ）、Ａ．オーディイ（Ａ．ｗｏｏｄｉｉ）、ブチリバクテリウム  メチロトロフィクム（Ｂｕｔｙｒｉｂａｃｔｅｒｉｕｍ  ｍｅｔｈｙｌｏｔｒｏｐｈｉｃｕｍ）、クロストリジウム  アセチクム（Ｃｌｏｓｔｒｉｄｉｕｍ  ａｃｅｔｉｃｕｍ）、Ｃ．アセトブチリクム（Ｃ．ａｃｅｔｏｂｕｔｙｌｉｃｕｍ）、Ｃ．フォルミカセチクム（Ｃ．ｆｏｒｍｉｃａｃｅｔｉｃｕｍ）、Ｃ．クルイベリ（Ｃ．ｋｌｕｙｖｅｒｉ）、Ｃ．テルモアセチクム（Ｃ．ｔｈｅｒｍｏａｃｅｔｉｃｕｍ）、Ｃ．テルモセルム（Ｃ．ｔｈｅｒｍｏｃｅｌｌｕｍ）、Ｃ．テルモヒドロスルフリクム（Ｃ．ｔｈｅｒｍｏｈｙｄｒｏｓｕｌｆｕｒｉｃｕｍ）、Ｃ．テルモサッカロリチクム（Ｃ．ｔｈｅｒｍｏｓａｃｃｈａｒｏｌｙｔｉｃｕｍ）、ユーバクテリウム  リモスム（Ｅｕｂａｃｔｅｒｉｕｍ  ｌｉｍｏｓｕｍ）、ペプトストレプトコッカス  プロデュクツス（Ｐｅｐｔｏｓｔｒｅｐｔｏｃｏｃｃｕｓ  ｐｒｏｄｕｃｔｕｓ）およびＣ．ルジュングダーリイ（Ｃ．ｌｊｕｎｇｄａｈｌｉｉ）、ならびにそれらの混合物より成る群から選択される、上記の方法。
【請求項２８】  請求項２７に記載の方法であって、前記Ｃ．ルジュングダーリイ（Ｃ．ｌｊｕｎｇｄａｈｌｉｉ）が、ＰＥＴＣ  ＡＴＣＣ  ５５３８３、Ｏ−５２  ＡＴＣＣ  ５５９８９、ＥＲＩ２  ＡＴＣＣ  ５５３８０およびＣ−０１  ＡＴＣＣ  ５５９８８、ならびにそれらの混合物より成る株から選択される、上記の方法。
【請求項２９】  嫌気性の酢酸発生細菌、水性栄養培地ならびに（１）一酸化炭素、（２）二酸化炭素および水素、（３）一酸化炭素、二酸化炭素および水素、および（４）一酸化炭素および水素より成る群から選択される最低１種の気体を含有し、そこで前記気体は発酵済みである、水性流を含んで成る醗酵ブロスからの酢酸回収の効率を高める方法であって、前記流を
（ｉ）５０容量％より多い、高度に分枝したジアルキルアミンの異性体の混合物、および約０．０１容量％から２０容量％のモノアルキルアミンを含んで成る水不混和性溶媒であって、１０より大きい分配係数を有する溶媒；および
（ｉｉ）少なくとも１０容量％の、前記溶媒（ｉ）の沸点より低い沸点を有する非アルコール補助溶媒を含んで成る、水不混和性溶媒と補助溶媒の混合物と接触させる工程、
前記溶媒混合物の前記流から酢酸を連続的に抽出する工程、および
前記アミンをアミドに実質的に品位を低下することなく、１６０℃を越えない蒸留温度で前記溶媒から前記酢酸を蒸留する工程
を含んで成る、上記の方法。
【請求項３０】  酢酸の製造のための嫌気性微生物の醗酵方法であって、
（ａ）栄養混合物および水不混和性溶媒と補助溶媒の混合物中の嫌気性の酢酸発生細菌をバイオリアクターに前記細菌を前記溶媒に順化させるのに十分な時間供給する工程であって、前記水不混和性溶媒と補助溶媒の混合物が、
（ｉ）５０容量％より多い、高度に分枝したジアルキルアミンの異性体の混合物、および約０．０１容量％から２０容量％のモノアルキルアミンを含んで成る水不混和性溶媒であって、１０より大きい分配係数を有する溶媒；および
（ｉｉ）少なくとも１０容量％の、前記溶媒（ｉ）の沸点より低い沸点を有する非アルコール補助溶媒を含んで成る、上記の工程；
（ｂ）前記のバイオリアクターに、（１）一酸化炭素、（２）二酸化炭素および水素、（３）一酸化炭素、二酸化炭素および水素、ならびに（４）一酸化炭素および水素から成る群より選択される少なくとも１種の気体を含んで成る気体流を前記バイオリアクターに導入し、そして前記細菌、栄養培地、酢酸、溶媒および水を含んで成る醗酵ブロスを生産せしめる工程であって、かつ、前記気体が発酵済みである、上記の工程；
（ｃ）前記醗酵ブロスを分離装置に導入する工程であって、前記細菌および栄養培地を含有する水相が、酢酸、溶媒および水を含有する溶媒相から濾過を伴わずに分離される工程；
（ｄ）１６０℃を越えない温度下で、酢酸を溶媒相と別個に（ｃ）の溶媒相から連続的に蒸留する工程；
含んで成り、前記蒸留工程が前記アミンをアミドに実質的に品位を低下することなく起こり、そうして酢酸製造の効率を高める、上記の方法。
【請求項３１】  請求項３０に記載の方法であって、前記溶媒、および前記細菌を含有する前記水相を前記バイオリアクター中に再循環することをさらに含んで成る、上記の方法。
【請求項３２】  請求項３０に記載の方法であって、前記蒸留工程が実質的に酸素を含まない真空中で起こる、上記の方法。
【請求項３３】  請求項３０に記載の方法であって、工程（ｄ）が約０．５ないし約１０ｐｓｉａの圧力における真空をさらに使用する、上記の方法。
【請求項３４】  請求項３０に記載の方法であって、前記嫌気性細菌が、アセトバクテリウム  キブイ（Ａｃｅｔｏｂａｃｔｅｒｉｕｍ  ｋｉｖｕｉ）、Ａ．オーディイ（Ａ．ｗｏｏｄｉｉ）、ブチリバクテリウム  メチロトロフィクム（Ｂｕｔｙｒｉｂａｃｔｅｒｉｕｍ  ｍｅｔｈｙｌｏｔｒｏｐｈｉｃｕｍ）、クロストリジウム  アセチクム（Ｃｌｏｓｔｒｉｄｉｕｍ  ａｃｅｔｉｃｕｍ）、Ｃ．アセトブチリクム（Ｃ．ａｃｅｔｏｂｕｔｙｌｉｃｕｍ）、Ｃ．フォルミカセチクム（Ｃ．ｆｏｒｍｉｃａｃｅｔｉｃｕｍ）、Ｃ．クルイベリ（Ｃ．ｋｌｕｙｖｅｒｉ）、Ｃ．テルモアセチクム（Ｃ．ｔｈｅｒｍｏａｃｅｔｉｃｕｍ）、Ｃ．テルモセルム（Ｃ．ｔｈｅｒｍｏｃｅｌｌｕｍ）、Ｃ．テルモヒドロスルフリクム（Ｃ．ｔｈｅｒｍｏｈｙｄｒｏｓｕｌｆｕｒｉｃｕｍ）、Ｃ．テルモサッカロリチクム（Ｃ．ｔｈｅｒｍｏｓａｃｃｈａｒｏｌｙｔｉｃｕｍ）、ユーバクテリウム  リモスム（Ｅｕｂａｃｔｅｒｉｕｍ  ｌｉｍｏｓｕｍ）、ペプトストレプトコッカス  プロデュクツス（Ｐｅｐｔｏｓｔｒｅｐｔｏｃｏｃｃｕｓ  ｐｒｏｄｕｃｔｕｓ）およびＣ．ルジュングダーリイ（Ｃ．ｌｊｕｎｇｄａｈｌｉｉ）、ならびにそれらの混合物より成る群から選択される、上記の方法。
【請求項３５】  請求項３４に記載の方法であって、前記Ｃ．ルジュングダーリイ（Ｃ．ｌｊｕｎｇｄａｈｌｉｉ）が、ＰＥＴＣ  ＡＴＣＣ  ５５３８３、Ｏ−５２  ＡＴＣＣ  ５５９８９、ＥＲＩ２  ＡＴＣＣ  ５５３８０およびＣ−０１  ＡＴＣＣ  ５５９８８、ならびにそれらの混合物より成る株から選択される、上記の方法。
【請求項３６】  酢酸の製造のための嫌気性微生物の醗酵方法であって、
（ａ）水性栄養混合物および嫌気性の酢酸発生細菌を含むバイオリアクター中で（１）一酸化炭素、（２）二酸化炭素および水素、（３）一酸化炭素、二酸化炭素および水素、ならびに（４）一酸化炭素および水素から成る群より選択される少なくとも１種の気体を醗酵させ、それにより酢酸、水および細菌細胞を含んで成るブロスを生産する工程；
（ｂ）連続的溶媒相もしくは連続的水相のいずれかを含有しかつそのための出口および入口を有する抽出装置中に、（ｉ）細胞分離を伴わない前記ブロスおよび（ｉｉ）水不混和性溶媒と捕縄溶媒の混合物であって、
（Ｉ）５０容量％より多い、高度に分枝したジアルキルアミンの異性体の混合物、および約０．０１容量％から２０容量％のモノアルキルアミンを含んで成る水不混和性溶媒であって、１０より大きい分配係数を有する溶媒；および
（ｉｉ）少なくとも１０容量％の、前記溶媒（Ｉ）の沸点より低い沸点を有する非アルコール補助溶媒を含んで成る
混合溶媒を導入する工程であって、ここで、酢酸、溶媒および水を含有する溶媒相は、前記細菌および栄養培地を含んで成る水相と別個に前記抽出装置から排出される工程；
（ｃ）前記水相をバイオリアクターに再循環し、そして前記溶媒相を蒸留塔に通過せしめる工程；
（ｄ）前記アミンをアミドに実質的に品位を低下することなく１６０℃を越えない温度で溶媒と別個に酢酸および水を（ｃ）の溶媒相から連続的に蒸留し、こうして酢酸の生産効率を高める工程；
を含んでなる、上記の方法。
【請求項３７】  請求項３６に記載の方法であって、前記溶媒が前記ブロスの流れと共通の流れまたは向流状態で前記抽出装置に導入されることを含む、上記の方法。
【請求項３８】  請求項３６に記載の方法であって、前記蒸留工程が実質的に酸素を含まない真空中で起こる、上記の方法。請求項２５に記載の方法。
【請求項３９】  請求項３８に記載の方法であって、前記工程（ｄ）が約０．５ないし約１０ｐｓｉａの圧力における真空を用いる、上記の方法。
【請求項４０】  請求項３６に記載の方法であって、前記嫌気性細菌が、アセトバクテリウム  キブイ（Ａｃｅｔｏｂａｃｔｅｒｉｕｍ  ｋｉｖｕｉ）、Ａ．オーディイ（Ａ．ｗｏｏｄｉｉ）、ブチリバクテリウム  メチロトロフィクム（Ｂｕｔｙｒｉｂａｃｔｅｒｉｕｍ  ｍｅｔｈｙｌｏｔｒｏｐｈｉｃｕｍ）、クロストリジウム  アセチクム（Ｃｌｏｓｔｒｉｄｉｕｍ  ａｃｅｔｉｃｕｍ）、Ｃ．アセトブチリクム（Ｃ．ａｃｅｔｏｂｕｔｙｌｉｃｕｍ）、Ｃ．フォルミカセチクム（Ｃ．ｆｏｒｍｉｃａｃｅｔｉｃｕｍ）、Ｃ．クルイベリ（Ｃ．ｋｌｕｙｖｅｒｉ）、Ｃ．テルモアセチクム（Ｃ．ｔｈｅｒｍｏａｃｅｔｉｃｕｍ）、Ｃ．テルモセルム（Ｃ．ｔｈｅｒｍｏｃｅｌｌｕｍ）、Ｃ．テルモヒドロスルフリクム（Ｃ．ｔｈｅｒｍｏｈｙｄｒｏｓｕｌｆｕｒｉｃｕｍ）、Ｃ．テルモサッカロリチクム（Ｃ．ｔｈｅｒｍｏｓａｃｃｈａｒｏｌｙｔｉｃｕｍ）、ユーバクテリウム  リモスム（Ｅｕｂａｃｔｅｒｉｕｍ  ｌｉｍｏｓｕｍ）、ペプトストレプトコッカス  プロデュクツス（Ｐｅｐｔｏｓｔｒｅｐｔｏｃｏｃｃｕｓ  ｐｒｏｄｕｃｔｕｓ）およびＣ．ルジュングダーリイ（Ｃ．ｌｊｕｎｇｄａｈｌｉｉ）、ならびにそれらの混合物より成る群から選択される、上記の方法。
【請求項４１】  請求項４０に記載の方法であって、前記Ｃ．ルジュングダーリイ（Ｃ．ｌｊｕｎｇｄａｈｌｉｉ）が、ＰＥＴＣ  ＡＴＣＣ  ５５３８３、Ｏ−５２  ＡＴＣＣ  ５５９８９、ＥＲＩ２  ＡＴＣＣ  ５５３８０およびＣ−０１  ＡＴＣＣ  ５５９８８、ならびにそれらの混合物より成る株から選択される、上記の方法。
【請求項４２】  酢酸の製造のための嫌気性微生物の醗酵方法であって、
（ａ）水性栄養混合物および嫌気性の酢酸発生細菌を含むバイオリアクター中で（１）一酸化炭素、（２）二酸化炭素および水素、（３）一酸化炭素、二酸化炭素および水素、ならびに（４）一酸化炭素および水素から成る群より選択される少なくとも１種の気体を醗酵させ、それにより酢酸および溶解された二酸化炭素を含んで成る醗酵ブロスを生産する工程；
（ｂ）前記二酸化炭素を抽出に先立ち醗酵ブロスから除去する工程；
（ｃ）アミンを含んで成る溶媒と前記ブロス（ｂ）を接触させ、そして酢酸および前記栄養媒体を含有する水相を含んで成る溶媒相の形成を可能にする工程；
（ｄ）前記溶媒相から酢酸を連続的に蒸留する工程；および
（ｅ）前記水相を前記バイオリアクターに戻す工程
を含んで成る上記の方法。
【請求項４３】  請求項４２に記載の方法であって、前記醗酵ブロスが溶解された硫化水素を含有し、かつ、抽出に先立ち前記硫化水素を前記醗酵ブロスから除去する工程をさらに含んで成る、上記の方法。
【請求項４４】  請求項４２または４３に記載の方法であって、前記除去する工程が、二酸化炭素、酸素もしくは硫化水素を含有しない気体と前記醗酵ブロスを接触させることを含んで成る、上記の方法。
【請求項４５】  請求項４４に記載の方法であって、前記気体が、窒素、メタン、ヘリウム、アルゴン、非反応性気体もしくはそれらの混合物より成る群から選択される、上記の方法。
【請求項４６】  請求項４４に記載の方法であって、前記除去する工程が向流ストリッパーカラム中で起こる、上記の方法。
【請求項４７】  請求項４２または４３に記載の方法であって、前記除去する工程が、前記バイオリアクターと別個の容器中で前記醗酵ブロスに対する圧力を低下させることを含んで成る、上記の方法。
【請求項４８】  請求項４２または４３に記載の方法であって、前記除去する工程に先立ち、前記ブロス中の他の成分から前記細菌を分離して実質的に細胞を含まない流れを提供することをさらに含んで成る、上記の方法。
【請求項４９】  請求項４８に記載の方法であって、前記除去する段階が、前記バイオリアクターと別個の容器中で前記細胞を含まない流れを約８０℃に加熱することを含んで成る、上記の方法。
【請求項５０】  請求項４２に記載の方法であって、前記溶媒が水不混和性溶媒と捕縄溶媒の混合物であって、
（ｉ）５０容量％より多い、高度に分枝したジアルキルアミンの異性体の混合物、および約０．０１容量％から２０容量％のモノアルキルアミンを含んで成る水不混和性溶媒であって、１０より大きい分配係数を有する溶媒；および
（ｉｉ）少なくとも１０容量％の、前記溶媒（ｉ）の沸点より低い沸点を有する非アルコール補助溶媒を含んで成る混合溶媒である、上記の方法。
【請求項５１】  請求項４２に記載の方法であって、前記蒸留段階が、１６０℃を越えない温度で前記アミンをアミドに実質的に品位を低下することなく起こり、こうして酢酸の製造の効率を高める、上記の方法。
【請求項５２】  請求項４２に記載の方法であって、前記蒸留工程が実質的に酸素を含まない真空中で起こる、上記の方法。
【請求項５３】  請求項４２に記載の方法であって、前記蒸留工程が約０．５ないし約１０ｐｓｉａの圧力における真空をさらに用いる、上記の方法。
【請求項５４】  請求項４２に記載の方法であって、前記嫌気性細菌が、アセトバクテリウム  キブイ（Ａｃｅｔｏｂａｃｔｅｒｉｕｍ  ｋｉｖｕｉ）、Ａ．オーディイ（Ａ．ｗｏｏｄｉｉ）、ブチリバクテリウム  メチロトロフィクム（Ｂｕｔｙｒｉｂａｃｔｅｒｉｕｍ  ｍｅｔｈｙｌｏｔｒｏｐｈｉｃｕｍ）、クロストリジウム  アセチクム（Ｃｌｏｓｔｒｉｄｉｕｍ  ａｃｅｔｉｃｕｍ）、Ｃ．アセトブチリクム（Ｃ．ａｃｅｔｏｂｕｔｙｌｉｃｕｍ）、Ｃ．フォルミカセチクム（Ｃ．ｆｏｒｍｉｃａｃｅｔｉｃｕｍ）、Ｃ．クルイベリ（Ｃ．ｋｌｕｙｖｅｒｉ）、Ｃ．テルモアセチクム（Ｃ．ｔｈｅｒｍｏａｃｅｔｉｃｕｍ）、Ｃ．テルモセルム（Ｃ．ｔｈｅｒｍｏｃｅｌｌｕｍ）、Ｃ．テルモヒドロスルフリクム（Ｃ．ｔｈｅｒｍｏｈｙｄｒｏｓｕｌｆｕｒｉｃｕｍ）、Ｃ．テルモサッカロリチクム（Ｃ．ｔｈｅｒｍｏｓａｃｃｈａｒｏｌｙｔｉｃｕｍ）、ユーバクテリウム  リモスム（Ｅｕｂａｃｔｅｒｉｕｍ  ｌｉｍｏｓｕｍ）、ペプトストレプトコッカス  プロデュクツス（Ｐｅｐｔｏｓｔｒｅｐｔｏｃｏｃｃｕｓ  ｐｒｏｄｕｃｔｕｓ）およびＣ．ルジュングダーリイ（Ｃ．ｌｊｕｎｇｄａｈｌｉｉ）、ならびにそれらの混合物より成る群から選択される、上記の方法。
【請求項５５】  請求項５４に記載の方法であって、前記Ｃ．ルジュングダーリイ（Ｃ．ｌｊｕｎｇｄａｈｌｉｉ）が、ＰＥＴＣ  ＡＴＣＣ  ５５３８３、Ｏ−５２  ＡＴＣＣ  ５５９８９、ＥＲＩ２  ＡＴＣＣ  ５５３８０およびＣ−０１  ＡＴＣＣ  ５５９８８、ならびにそれらの混合物より成る株から選択される、上記の方法。
【請求項５６】  請求項４２に記載の方法であって、溶媒との前記接触が向流カラム中で起こる、上記の方法。
【手続補正２】
【補正対象書類名】明細書
【補正対象項目名】００５２
【補正方法】変更
【補正の内容】
【００５２】
また、挙げられたとおり、醗酵ブロス中には嫌気性の酢酸発生細菌および細菌の成長に必要な栄養培地が存在する。嫌気性細菌は、制限なしにアセトバクテリウム  キブイ（Ａｃｅｔｏｂａｃｔｅｒｉｕｍ  ｋｉｖｕｉ）、Ａ．オーディイ（Ａ．ｗｏｏｄｉｉ）、ブチリバクテリウム  メチロトロフィクム（Ｂｕｔｙｒｉｂａｃｔｅｒｉｕｍ  ｍｅｔｈｙｌｏｔｒｏｐｈｉｃｕｍ）、クロストリジウム  アセチクム（Ｃｌｏｓｔｒｉｄｉｕｍ  ａｃｅｔｉｃｕｍ）、Ｃ．アセトブチリクム（Ｃ．ａｃｅｔｏｂｕｔｙｌｉｃｕｍ）、Ｃ．フォルモアセチクム（Ｃ．ｆｏｒｍｏａｃｅｔｉｃｕｍ）、Ｃ．クルイベリ（Ｃ．ｋｌｕｙｖｅｒｉ）、Ｃ．テルモアセチクム（Ｃ．ｔｈｅｒｍｏａｃｅｔｉｃｕｍ）、Ｃ．テルモセルム（Ｃ．ｔｈｅｒｍｏｃｅｌｌｕｍ）、Ｃ．テルモヒドロスルフリクム（Ｃ．ｔｈｅｒｍｏｈｙｄｒｏｓｕｌｆｕｒｉｃｕｍ）、Ｃ．テルモサッカロリチクム（Ｃ．ｔｈｅｒｍｏｓａｃｃｈａｒｏｌｙｔｉｃｕｍ）、ユーバクテリウム  リモスム（Ｅｕｂａｃｔｅｒｉｕｍ  ｌｉｍｏｓｕｍ）、ペプトストレプトコッカス  プロデュクツス（Ｐｅｐｔｏｓｔｒｅｐｔｏｃｏｃｃｕｓ  ｐｒｏｄｕｃｔｕｓ）およびＣ．ルジュングダーリイ（Ｃ．ｌｊｕｎｇｄａｈｌｉｉ）、ならびにそれらの混合物を包含する１種の株の細菌、または酢酸発生細菌の２種もしくはそれ以上を含有する混合培養物であることができる。とりわけ望ましい酢酸発生細菌は、発明者らにより既に発見された株、すなわちＣ．ルジュングダーリイ（Ｃ．ｌｊｕｎｇｄａｈｌｉｉ）株ＰＥＴＣ  ＡＴＣＣ  ４９５８７（この菌株は、当該寄託機関からの求めに応じ、再寄託され新たな受託番号ＡＴＣＣ  ５５３８３が付与されている。）、株Ｏ−５２  ＡＴＣＣ  ５５９８９、株ＥＲＩ２  ＡＴＣＣ  ５５３８０および株Ｃ−０１  ＡＴＣＣ  ５５９８８、ならびにそれらの混合物である。これらの酢酸発生細菌は、アメリカン  タイプ  カルチャー  コレクション（Ａｍｅｒｉｃａｎ  Ｔｙｐｅ  Ｃｕｌｔｕｒｅ  Ｃｏｌｌｅｃｔｉｏｎ）、１０８０１  Ｕｎｉｖｅｒｓｉｔｙ  Ｂｏｕｌｅｖａｒｄ、ヴァージニア州マナサス  ２０１１０−２２０９のような寄託機関、または商業的もしくは教育的機関から一般に入手可能である。上記のように同定された微生物は、特許目的上の微生物の寄託に関するブダペスト条約（ｔｈｅ  Ｂｕｄａｐｅｓｔ  Ｔｒｅａｔｙ  ｆｏｒ  ｔｈｅ  Ｄｅｐｏｓｉｔ  ｏｆ  Ｍｉｃｒｏｏｒｇａｎｉｓｍｓ  ｆｏｒ  Ｐａｔｅｎｔ  Ｐｕｒｐｏｓｅ）に準拠して寄託され、そしてこうした寄託物は全部のその要件に従う。